(57)【要約】【課題】本発明は画像処理方法、画像処理装置、プログラムおよびコンピュータ読み取り可能な記録媒体に関し、特に簡単な方式でコピー防止を図る地紋画像生成装置を提供するものである。【解決手段】本発明は、各種証明書や各種契約書あるいは各種機密文書などの文書や画像を複写機で複写したり、プリンタで印刷したり、ファクシミリ装置で出力したり、あるいはディスプレイ装置で表示したりする際に用いる画像データを生成する場合に用いて好適な画像処理方法、画像処理装置、プログラムおよびコンピュータ読み取り可能な記録媒体に関し、簡単な方式でコピー防止を図る地紋画像生成装置を提供するものである。【選択図】図１
2005204090.tif 000002
【特許請求の範囲】
【請求項１】
プリンタ装置と複写装置間の色認識感度の差異を検出する差異検出手段と、
該色認識感度の差異に基づいて消失用イメージを生成する消失用イメージ生成手段と、
該消失用イメージを除く残存用イメージを生成する残存用イメージ生成手段と、
前記複写装置によって複写処理する際、前記残存用イメージによって印刷データを作  成する作成手段と、
該印刷データとアプリケーションに従って作成された印刷データを合成する合成手段  と、
を有することを特徴とする地紋画像生成装置。
【請求項２】
前記各手段は、プリンタドライバの制御に従って処理を行うことを特徴とする請求項１記載の地紋画像生成装置。
【請求項３】
前記消失用イメージ生成、及び残存用イメージ生成は、プリンタ装置の印字パラメータに基づいて行われることを特徴とする請求項１記載の地紋画像生成装置。
【請求項４】
前記処理は印刷データの消失部について行うことを特徴とする請求項１記載の地紋画像生成装置。
【請求項５】
プリンタ装置と複写装置間の解像度感度の差異を検出する差異検出手段と、
該解像度の差異に基づいて消失用イメージを生成する消失用イメージ生成手段と、
該消失用イメージを除く残存用イメージを生成する残存用イメージ生成手段と、
前記複写装置によって複写処理する際、前記残存用イメージによって印刷データを作成する作成手段と、
該印刷データとアプリケーションに従って作成された印刷データを合成する合成手段と、
を有することを特徴とする地紋画像生成装置。
【請求項６】
前記各手段は、プリンタドライバの制御に従って処理を行うことを特徴とする請求項５記載の地紋画像生成装置。
【請求項７】
前記消失用イメージ生成、及び残存用イメージ生成は、プリンタ装置の印字パラメータに基づいて行われることを特徴とする請求項５記載の地紋画像生成装置。
【請求項８】
前記処理は印刷データの消失部について行うことを特徴とする請求項５記載の地紋画像生成装置。
【請求項９】
プリンタ装置と複写装置間の色認識感度の差異を検出する差異検出処理と、
該色認識感度の差異に基づいて消失用イメージを生成する消失用イメージ生成処理と、
該消失用イメージを除く残存用イメージを生成する残存用イメージ生成処理と、
前記複写装置によって複写処理する際、前記残存用イメージによって印刷データを作成する作成処理と、
該印刷データとアプリケーションに従って作成された印刷データを合成する合成処理と、
を行うことを特徴とする地紋画像生成方法。
【発明の詳細な説明】
【技術分野】
【０００１】
本発明は、画像処理方法、画像処理装置、プログラムおよびコンピュータ読み取り可能な記録媒体に関し、さらに詳細には、各種証明書や各種契約書あるいは各種機密文書などの文書や画像を複写機で複写し、プリンタ装置で印刷し、ファクシミリ装置で出力し、或いはディスプレイ装置で表示する際に用いる画像データを生成する場合に用いて好適な地紋画像生成装置、及び地紋画像生成方法に関する。
【背景技術】
【０００２】
今日、各種契約書や各種証明書などの各種機密文書は、その機密性を維持し、その原本性を維持するため、特殊なインキや特殊な印刷により作成された『コピーガード用紙』・『コピー防止用紙』・『さくら紙』等と呼ばれる特殊な用紙に印刷を行い、複写や改竄を防止している。
【０００３】
尚、特許文献１には、ラベルを簡単に改竄・偽造できないようにしたラベル偽造防止システムの発明が開示されている。この発明は、生産者からの依頼でラベルを作成する際、ラベルごとに異なる情報の印影を付加し、コピー防止を施した画像データとしてラベルを認定機関が発行する。したがって、このラベルにはコピー防止が施されているため、改竄ができなくなり、このラベルが付加された商品を消費者に偽って売ることを禁止するものである。
【特許文献１】特開２００３−３１６８５３号公報
【発明の開示】
【発明が解決しようとする課題】
【０００４】
しかしながら、上記方法では用紙が限定され、複写時には『複写禁止』などの決まった文字列が発生してしまうなどの限定がるため、使用者が簡単に複写後の状態（印字される文字列や図形・カラー等）の変更が困難であり、使用し難いという問題がある。また、この用紙自体の価格も高価である。
【０００５】
さらに、富士ゼッロクス社で発売された『Trust Marking』は、上記のような特殊な用紙を使用せずに印刷可能であるため、上記の課題の一部は回避可能であるが、この技術では、解像度が高い高性能プリンタでしか利用できない。また、このソフトウエアにおいては、複写機の性能により、『コピー防止用紙』のような性能を出せない場合も多々ある。
【０００６】
また、認定機関等の外部機関を使用する場合にはネットワーク接続も必要になり、システムが大型化すると共に、高価なシステムとなる。
そこで、本発明は上記課題を解決し、簡単に複写や改竄を防止し、かつ低価で提供できる地紋画像生成装置を提供するものである。
【課題を解決するための手段】
【０００７】
上記課題は本発明によれば、プリンタ装置と複写装置間の色認識感度の差異を検出する差異検出手段と、該色認識感度の差異に基づいて消失用イメージを生成する消失用イメージ生成手段と、該消失用イメージを除く残存用イメージを生成する残存用イメージ生成手段と、前記複写装置によって複写処理する際、前記残存用イメージによって印刷データを作成する作成手段と、該印刷データとアプリケーションに従って作成された印刷データを合成する合成手段とを有する地紋画像生成装置を提供することによって達成される。
【０００８】
このように構成することにより、簡単に複写や改竄を防止し、かつ低価で提供できる地紋画像生成装置を提供することができる。
また、前記各手段は、例えばプリンタドライバの制御に従って処理を行う構成であり、更に前記消失用イメージ生成、及び残存用イメージ生成は、例えばプリンタ装置の印字パラメータに基づいて行われ、前記処理は印刷データの消失部について行う構成である。  一方、プリンタ装置と複写装置間の差異は解像度感度の差異として検出してもよく、このように構成することによっても、簡単に複写や改竄を防止し、かつ低価で提供できる地紋画像生成装置を提供することができる。
【０００９】
また、上記課題は方法の発明によっても解決でき、本発明の地紋画像生成方法を使用することで簡単に複写や改竄を防止し、低価な地紋画像生成装置を提供することができる。
【発明の効果】
【００１０】
上記課題は本発明によれば、プリンタ装置と複写装置間の色認識感度、又は解像度の相違を使用し、各種証明書や各種契約書あるいは各種機密文書などの文書の違法複写や改竄等を防止でき、簡単かつ安価な地紋画像生成装置を提供することができる。
【発明を実施するための最良の形態】
【００１１】
以下、本発明の実施形態を図面に基づいて詳細に説明する。
図１は本実施形態の構成を説明する図である。
同図に示すように、本システムはパーソナルコンピュータ等のホスト機器１、プリンタ装置２、複写装置３で構成されている。尚、他にファクシミリ装置やプロッタ装置を含めた構成としてもよい。
【００１２】
ホスト機器１はアプリケーション６、プリンタドライバ７で構成され、プリンタドライバ７はアプリケーション６で作成された印字データを入力し、後述する地紋画像等を生成する。また、プリンタドライバ７は消失用イメージ生成部８、残存用イメージ生成部９、機種情報取得部１０、印字データ編集部１１、文字列生成部１２、印刷データ取得部１３を使用して後述する処理を行う。また、スプーラ１４はプリンタ装置２等に出力するデータを保持する。
【００１３】
プリンタ装置２はインターフェイスコントローラ１５、プリンタコントローラ１６で構成され、インターフェイスコントローラ１５に入力する印刷データに従って、例えばビットマップデータに変換された印刷データをプリンタコントローラ１６に出力し、印字ヘッドによって用紙に印刷する。
【００１４】
また、複写装置３はプリンタ装置２によって印刷された用紙を原稿台に載せ、原稿読み取り部１７で原稿情報を読み取り、例えば静電記録方式を使用した感光体等を有する複写部１８によって用紙への複写処理を行う。尚、上記プリンタ装置２や複写装置３は汎用装置で対応する。
【００１５】
また、後述する消失用データの作成は、以下の２方式のいずれか、或いは両者の統合で生成する。以下、２方式について説明する。
方式１
複写装置の色認識感度は、一般にはプリンタ装置に比較すると悪い。本方式ではその点を利用する。
【００１６】
例えば、ＲＧＢ（１）＝（00，00，00）は黒（印刷される）で、
ＲＧＢ（２）＝（FF，FF，FF）は白（印刷されない）である。
このため、ＲＧＢ（２）周辺の色は、プリント時には印字されるが、複写時に印刷されない。
【００１７】
方式２
複写装置の解像度感度は、一般にはプリンタ装置に比較すると悪い。本方式ではその点を利用する。
【００１８】
例えば、ピクセル毎の印字パターンを
●●○○
●○○○
○○○○    ←  パターン（１）
○○○○
とすれば、プリント時には、灰色で印字されるが、複写時には解像度の関係で消失する。
【００１９】
また、ピクセル毎の印字パターンを
●○○○
●○○○
●○○○    ←  パターン（２）
○○○○
とすれば、プリント時には、灰色で印字され、複写時にも灰色となる。
【００２０】
このパターン（１）とパターン（２）は、人間の目には同色に見える。残存用データの作成は、上記の方式（１）、（２）で生成された色で人間の目に同色に見え、かつ残存するデータを生成する。
【００２１】
（実施形態１）
「プリンタドライバ７を利用した桜紙の自動発生」
処理１：  先ず、アプリケーション６で、印字要求されたデータがスプーラ１４に                登録される。
【００２２】
処理２：  次に、スプーラ１４に登録された印字データを抽出する。
（印刷データ取得部１３）
処理３：  次に、スプーラ１４に登録された印字データから、印字先のプリンタ名                称を取得する。すなわち、印字先であるプリンタ装置２の機種名等をス                プーラ１４に登録された情報を検索して取得する。
【００２３】
処理４：  次に、プリンタ名称から『印字パラメータ』を取得する。このパラメー                タは、例えばプリンタ装置２の独自コマンドであり、以後の処理を対応                するコマンドで実行する。
【００２４】
（機種情報取得部１０）
処理５：  次に、上記パラメータで背景印字色を決定する。
処理６：  次に、背景印字色に該当する消失パターンを生成する
（消失用イメージ生成部８）
処理７：  次に、背景印字色に該当する残存パターンを生成する。
【００２５】
（残存用イメージ生成部９）
処理８：  次に、背景で複写時の残る画像もしくは文字列の画像データを残存用イ                メージで作成する。
【００２６】
（印字データ編集部１１）
処理９：  次に、処理８で作成された以外の領域を消失用イメージで埋める。
（印字データ編集部11）
処理10：  次に、処理９で合成されたイメージと処理２で抽出したデータを合成し                、ＰＤＬ（プリンタ記述言語）を編集する。
【００２７】
（印字データ編集部）
処理11：  最後に、処理１０で編集されたデータをスプーラ１４に送出する。
以上のようにして作成された印刷データはスプーラ１４に保持され、以後プリンタ装置２からの要求に基づいてプリンタ装置２に出力され、用紙に印刷される。
【００２８】
（実施形態２）
「プリンタドライバを利用した印字データの消失」
処理１：  先ず、アプリケーション６で、印字要求されたデータがスプーラ１４に                登録される。
【００２９】
処理２：  次に、スプーラに登録された印字データを抽出する。
（印刷データ取得部１３）
処理３：  次に、スプーラに登録された印字データから、印字先のプリンタ名称を                取得する。
【００３０】
処理４：  次に、プリンタ名称から『印字パラメータ』を取得する。
（機種情報取得部１０）
処理５：  次に、上記パラメータで背景印字色を決定する。
【００３１】
処理６：  次に、背景印字色に該当する消失パターンを生成する。
（消失用イメージ生成部８）
処理７：  次に、印字データから、印刷イメージを生成する。
【００３２】
（印字データ編集部１１）
処理８：  次に、処理７で作成された印字イメージを残存用イメージで作成する。
（印字データ編集部１１）
処理９：  最後に、処理８で作成されたイメージデータをスプーラに送出する。
【００３３】
以上のようにして作成された印刷データは上記と同様スプーラ１４からプリンタ装置２に出力され、以後プリンタ装置２によって印刷される。
（実施形態３）
「ドライバを利用しない桜紙の自動発生」
本例の処理は、プリンタドライバ７ではなく、例えばプリンタ装置２側で行う処理であり、図２にこの場合のシステム構成を示す。
【００３４】
処理１：  先ず、プリンタ名称を取得する。
（アプリケーション６）
処理２：  次に、プリンタ名称から『印字パラメータ』を取得する。
【００３５】
（機種情報取得部２２）
処理３：  次に、上記パラメータで背景印字色を決定する。
処理４：  次に、背景印字色に該当する消失パターンを生成する。
【００３６】
（消失用イメージ生成部２０）
処理５：  次に、背景印字色に該当する残存パターンを生成する。
（残存用イメージ生成部２１）
処理６：  次に、背景で複写時の残る画像もしくは文字列の画像データを残存用イ                メージで作成する。
【００３７】
（印字データ編集部２３）
処理７：  次に、処理８で作成された以外の領域を消失用イメージで埋める。
（印字データ編集部２３）
処理10：  最後に、処理９で合成されたイメージと処理２で抽出したデータを合成                し、印字する。
【００３８】
このように処理することによって、印刷データに基づく用紙への印刷処理を簡単、かつ高速に行うことができる。
（実施形態４）
「ドライバを利用しない印字データの消失」
本例も図２に示す構成を使用するものである。
【００３９】
処理１：  先ず、プリンタ装置の名称を取得する。
（アプリケーション６）
処理２：  次に、プリンタ名称から『印字パラメータ』を取得する。
【００４０】
（機種情報取得部２２）
処理３：  次に、上記パラメータで背景印字色を決定する。
処理４：  次に、背景印字色に該当する消失パターンを生成する
（消失用イメージ生成部２０）
処理５：  次に、印字データから、印刷イメージを生成する。
【００４１】
（印字データ編集部２３）
処理６：  次に、処理５で作成された印字イメージを残存用イメージで作成する。
（印字データ編集部２３）
処理７：  最後に、処理６で作成されたイメージデータを印字する。
【００４２】
このように処理することによって、印刷データに基づく用紙への印刷処理を簡単、かつ高速に行うことができる。
【図面の簡単な説明】
【００４３】
【図１】本実施形態のシステム構成図である。
【図２】実施形態３、及び４で使用するシステム構成図である。
【符号の説明】
【００４４】
１  ホスト機器
２  プリンタ装置
３  複写装置
６  アプリケーション
７  プリンタドライバ
８、２０  消失用イメージ生成部
９、２１  残存用イメージ生成部
１０、２２  機種情報取得部
１１、２３  印字データ編集部
１２、２４  文字列生成部
１３、２５  印刷データ取得部
１４  スプーラ
【図１】
2005204090.tif 000003
【図２】
2005204090.tif 000004